(57)【要約】【課題】  自動運転、休止格納、及び、安全面等において諸々の不具合が認められる回転式自動魚釣り機、特開２００７−８２５３５に関し、支障のない良好な状態を維持するためには、より必要な機器要具や装置が要求される。【解決手段】  本発明の道糸巻上げ脱落装置は、前後の道糸が道糸案内ローラーに重複しないように制御し、道糸通路開閉装置は互いの擬餌針が容器内で絡むのを回避し、擬餌針動揺防止器具は擬餌針の振れによる弊害を防止し、ブラシ形状搬送ベルトは擬餌針の搬送に確実性を向上させる器具であり、上述の求めに対応するこれら各機器や装置の機能効果によって個々の不具合や危険性を回避し、よって、安全運転及び漁獲機運転機構の性能向上に寄与するものである。【選択図】図１
2009034105.tif 000002
【特許請求の範囲】
【請求項１】
機器装備台上に設置の自動拔針システムの回転によって生じる、バランスの不均衡是正および自動魚釣り機の漁獲率向上を目的に、自動拔針システムを１８０度間隔に２装備とした場合、主ベルトに装着する釣り要具一式の取付け間隔は２分の１となる為、前後２本の道糸が道糸案内ローラーに重なった状態で巻上げられ、自動拔針機能に不具合が生じ運転不能となるため、この不具合を回避する手段として道糸案内ローラーの前方側に装備する装置で、機械的駆動又は電気的動作、或は電磁波、光波、電子等の先端技術を応用した制御方式で、後続の巻上げ中の道糸を道糸案内ローラー上へ時間差をもって落下誘導させる機能を有した事を特徴とする、道糸巻上げ脱落装置。
【請求項２】
道糸のみが移動する幅の溝を設けた容器の通路に、電気的駆動、及び自然的自己動作によって道糸通路の開閉動作を行い、運転中は開で道糸を通過させ、自動魚釣り機を休止して反転格納中は閉止状態を維持して道糸の下降を止める事によって、容器内に留まる特殊な擬餌針の滑落を最小限に抑え、前後の擬餌針の絡み付きを防止する事を特徴とする、道糸通路開閉装置。
【請求項３】
自動魚釣り機を休止して支柱を反転した格納状態での船舶の走行又は停泊中において、支柱先端部の従滑車間隔内に留まり、主ベルトから垂れ下がった状態の釣り要具一式が風に煽られて宙を舞うのを抑制し、特殊な擬餌針が人体に及ぼす危険性や他の部品との絡み付き等の弊害を防御する事を特徴とする、擬餌針動揺防止器具。
【請求項４】
擬餌針収納容器に装備した搬送ベルトの外表面全体に、弾性材であるナイロン等の合成繊維を、適当な長さおよび間隔に植え付けてブラシ状とし、特殊な擬餌針のすべりを抑制して搬送機能の向上と確実性を図る事を特徴とする、ブラシ形状搬送ベルト。
【発明の詳細な説明】
【技術分野】
【０００１】  回転式自動魚釣り機、特願２００６−２２１２８０、特開２００７−８２５３５の運転機能や収納保持体勢において、より効率的に且つより安全で円滑な運転性能とする為には重要な装備機具である、道糸巻上げ脱落装置、道糸通路開閉装置、擬餌針動揺防止器具、ブラシ形状搬送ベルトの構造や機能に関するものである。
【背景技術】
【０００２】  上記、回転式自動魚釣り機において、運転動作や停止時の保安状態及び安全面等で、諸々の不具合が確認され、正常な運転及び安全な格納状態を維持する為には、これ等の欠点を解消する手段が必要である。文献開示の例として
【特許文献】  特願２００６−２２１２８０、特開  平１９−８２５３５
【発明の開示】
【発明が解決しようとする課題】
【０００３】  上述のように回転式自動魚釣り機を、より効率的且つ円滑に確実な状態で運転し、又、休止格納中の安全を維持し、次の運転操作に支障が生じないようにする必要がある。【０００４】  本発明の上記各機器や装置を回転式自動魚釣り機に装備する事によって、上述の目的を達成する上で有効的な性能を発揮し、これらの機能によって個々の問題点が解決される。
【発明の効果】
【０００５】  本発明の各機器、装置を装備する事によって、自動拔針動作は道糸が道糸案内ローラーに１本１本送られるため順序正しく機能し、収納容器内に有る特殊な擬餌針は一定の範囲内に留まって前後の擬餌針同士の絡み付きを防止し、又、擬餌針動揺防止器具は、自動魚釣り機の休止収納状態での安全対策には極めて有効である。擬餌針の搬送に関しては、擬餌針の滑りが抑制され確実性が向上するため円滑で効率的な運転が可能となる。
【発明を実施するための最良の形態】
【０００６】  以下、本発明の実施の形態を図面に基づき詳細に説明する。【０００７】  図１は機械機構方式での道糸巻上げ脱落装置の平面断面図、図２は電気式作動機構の道糸巻上げ脱落装置の側断面図、図３は道糸巻上げ脱落装置及び道糸案内ローラーと自動抜針機構との作用関係を表す側面図である。図４は道糸通路開閉装置の正面断面図、図５は閉止状態の平面図、図６は自然的自己動作を行う開閉要具の閉止時の平面図である。図７は自動魚釣り機運転中の状態で表す擬餌針動揺防止器具の正面断面図、図８は支柱を反転した状態での正面断面図、図９は反転姿勢での擬餌針動揺防止器具の作用状況の斜視図である。図１０はブラシ式搬送ベルトの運転状態を表す収納容器の側断面図、図１１はブラシ形状搬送ベルトの平面図である。【０００８】  図１、図２は本発明の道糸巻上げ脱落装置５２で、軽量で耐腐食、耐磨耗性に優れた強靭な材質の支持軸１に止めピン６が嵌る中空部Ｈを設け、片側に巻上げローラー２を装着し、止めピン６の出し入れ動作による支持軸１と巻上げローラー２の水平方向への回転を制御する構造である。なお、図１、図２は支持軸１と巻上げローラー２は水平方向への回転構造なっているが、支持軸１と巻上げローラー２が垂直方向に変化して道糸を脱落させる方法も本発明の範囲に含まれるものである。【０００９】  回転式自動魚釣り機の機器装備台４に設置する拔針機構が１システムの場合において、例えば、主ベルト駆動用の主滑車の円周が１．７ｍであれば同じ長さ１．７ｍの釣り要具を１．７ｍの間隔毎に装着すると、道糸案内ローラー３３は一回転中１本の釣り要具を巻き上げ、抜針動作は常時道糸の同じ位置範囲内で１回のみ行う為、機能は正常に作動する。が、この単独機構では機器装備台上の片面にのみ重力が集中する為、駆動軸４や機器装備台１９が回転による変位で不均衡の増大を招き、また、漁獲率向上を図る観点からも機器装備台上１８０度間隔に２装備とすれば、バランスは改善され釣り要具の取付け間隔は２分の１と短くなるため、抜針動作は一回転中２度行われ漁獲率も向上する。しかし、釣り要具の全長は拔針システムの設置数には関係なく一定で、巻上げられる道糸の設定位置が常に同じタイミングで道糸保持具３４や圧力器具３５の溝に誘導され抜針動作を行わせる必要から、主滑車の円周距離と同じ長さである事が必須条件である。しかし、システムを２装備として前条件に従えば、前後の釣り要具に魚が掛かって道糸が緊張している状況において互いの間隔距離が短い関係上、主ベルト駆動主滑車の１回転中に道糸案内ローラーには前後２本の道糸が重なって巻き上げられる事態となり、自動拔針機能や自動魚釣り機全体の運転に重大な支障が生じる事になる。【００１０】  本発明の道糸巻上げ脱落装置はこの不具合を回避し、自動拔針動作を順序良く円滑に進める為の機構で、その機能を図１、図２，図３で説明する。【００１１】  図１、図２は高強度の止めピン６が支持軸１の中空部Ｈに嵌って体勢を維持した状態で、巻上げローラー２が緊張した後続の道糸１６を巻き上げ中を表し、図３は道糸案内ローラー３３で巻き上げられた魚体Ｆが拔針システムでの拔針開始状況と、道糸巻上げ脱落装置５２との作動及び位置関連を表したものである。【００１２】  道糸巻上げ脱落装置の機能を図１の機械的駆動方式で説明する。今、道糸案内ローラー３３上の先行する道糸が道糸保持具３４と圧力器具３５の溝に嵌り、魚体受け止め器具３６に抱えられた魚体Ｆが回転によって道糸案内ローラー３３を躱すと同時に、先端部がカム状のレバー４０で道糸巻上げ脱落装置５２の止めピン６を動かす駆動レバーのローラー２０に動力を与える事によって止めピンが中空部Ｈから外されると、支持軸１と巻上げローラー２は支えを失い道糸の引張力によって水平方向に回転する為、道糸はローラーから離脱し、次の道糸案内ローラー上に滑り移り抜針位置まで巻き上げられる。道糸が外れた道糸巻上げ脱落装置は弾性材７により瞬時にストッパー１４まで反転復帰し、止めピンは弾性体の弾力で中空部に嵌って支持軸を固定し、ローラーは後続の道糸の巻上げ態勢に瞬時に復帰する。なお、図１は止めピンの移動制御を機械的作動機構で説明しているが、電気式制御機構、或は、光波、電子、磁気、音波等、先端技術を応用した機器での制御方式も、この装置の構造や機能に選択されるものである。【００１３】  回転式自動魚釣り機の運転を中止し同機を反転させて格納する時には、収納容器３２や擬餌針収納容器２４内に留まっている特殊な擬餌針は滑落するが、自動抜針システムが２装備の場合には、釣り要具一式のベルト取付け間隔が短いため、滑落によって前後の釣り要具一式が重なり絡み合う危険性は避けられず、運転に支障が生じる事になる。【００１４】  本発明の道糸通路開閉装置、図４，図５、図６は上記の不具合を回避する為の装置で、その機能を説明する。【００１５】  回転式自動魚釣り機、特願２００６−２２１２８０が自動運転中は、電気式作動機器４７の駆動軸４８に連結された連結軸４５の僅かな移動で開閉要具４２は開放を維持され道糸は支障なく通過するが、運転の休止で自動操縦を断とした時点で電気式作動機器は解放され、駆動軸は弾性材７又は電気式作動機器内の弾性材の弾力によって開閉要具を閉止状態に移動させる。擬餌針収納容器２４は搬送ベルトの速度が主ベルトよりも高速の為、擬餌針は常に道糸を引っ張る状態で先行しているが一方、収納容器３２に関しては搬送器具類の装備は無く、擬餌針や道糸は常時主ベルトに引かれながら移動する。今、魚釣り機の運転を停止して収納のために反転上昇の際には、両収納容器の溝Ｄ内にある道糸は最寄りの開閉要具によって下方への移動が最小限の位置で阻止されるため、両収納容器内の特殊な擬餌針は大きな滑落は免れ、前後に留まる擬餌針同士の絡み付きは回避される。尚、図６の自然的自己動作機能の開閉要具４２は擬餌針収納容器の傾斜に従って自由に移動するので、図１０の断面図において先端側に装備された擬餌針収納容器２４のみに使用が可能である。【００１６】  図７は、回転式自動魚釣り機運転中の擬餌針動揺防止器具の体勢を表し、図８は休止反転収納時の姿勢を表示している。図９は反転収納状態での器具の作用状況を斜視で表した図である。【００１７】  左右の支柱９と１１の先端部従滑車８の間隔内に釣り要具一式が留まっている場合に、回転式自動魚釣り機を反転格納すれば、釣り要具一式は垂直に垂れ下った状態となる。船舶が航海走行または停泊中に、このような状況下で強い風が吹けば、道糸や特殊な擬餌針は空中を乱舞するため危険性は大きく又他の要具に絡む等の不具合が発生する。【００１８】  本発明の擬餌針動揺防止器具５１は、ごく簡単な構造ではあるが安全面において非常に有用な器具である。耐腐食性、小径軽量で表面が滑らかな丸材を図のように成形した器具で、道糸１６のみが入る狭く深い隙間Ｃの部分を複数部設け、両先端部分を左右の支柱９，１１の最適な位置に固定している。今、回転式自動魚釣り機を停止して収納のために反転上昇させる時、垂れ下がった道糸は反転上昇に伴って器具５１と接触し、器具の斜面部分を滑りながら狭い隙間Ｃに導かれる。特殊な擬餌針の重量は釣り要具全体の重さより軽量のため、道糸に引かれる状態で隙間の底部に留り、道糸は少し垂れた状態になるが擬餌針の動揺は抑えられるため、擬餌針の乱舞に起因する危険性や絡みの弊害は防止できる。【００１９】  回転式自動魚釣り機の運転で特殊な擬餌針１７をベルトコンベア−方式で搬送する場合、主ベルト１２よりも早い速度で進行させる必要上、軽量の特殊な擬餌針は道糸や弾性材の重さによる抵抗で余分な滑りを生じる事になる。特に、上り傾斜である擬餌針収納容器２４の搬送ベルトでは大きな滑りが推察されるし、船体の横揺れ、強風などその時の状況によって、特殊な擬餌針１６が正確なタイミングで確実に海面に落下するか否かの懸念すべき問題点を有している。【００２０】  上記のような不具合を回避する手段として、ブラシ形状搬送ベルト、図１０、図１１のように、ベルトの外側表面全般に植え付けられた合成繊維等の弾力性のある繊維でブラシ状５４とし、繊維の高さの長短や植付け間隔等を勘案して最良の形態とすれば、繊維の弾性力が特殊な擬餌針の滑りの抵抗となり、般送の確実性を高める効果を有する事になる。
【産業上の利用可能性】
【００２１】  本発明の各装置や機器類は、回転式自動魚釣り機、特開２００７−８２５３５が安全に支障なく運転操作する為に必要且つ重要な装置であり、製造、装備する産業上の利用性を有している。
【図面の簡単な説明】
【００２２】
【図１】  機械式駆動の道糸巻上げ脱落装置の平面断面図。
【図２】  電気式駆動の道糸巻上げ脱落装置の側断面図。
【図３】  道糸巻上げ脱落装置、道糸案内ローラー、抜針システムの作動関連の側面図。
【図４】  道糸通路開閉装置の正面断面図。
【図５】  電気式駆動の道糸通路開閉装置の閉止状態の平面図。
【図６】  自然的自己動作の開閉要具の閉止状態の平面図。
【図７】  回転式自動魚釣り機の運転中における、擬餌針動揺防止器具の正面断面図。
【図８】  回転式自動魚釣り機の反転休止状態での、擬餌針動揺防止器具の正面断面図。
【図９】  回転式自動魚釣り機の反転格納中の、擬餌針動揺防止器具の作用状況斜視図。
【図１０】  ブラシ形状搬送ベルトを装備した擬餌針収納容器の側断面図。
【図１１】  ブラシ形状搬送ベルトの平面図。
【符号の説明】
１      支持軸
２      巻き上げローラー
３      巻き上げローラー軸
４      回転駆動軸
５      巻上げローラー軸取付けネジ部
６      止めピン
７      弾性材
８      従滑車
９      左側支柱
１０    先端側支柱
１１    右側支柱
１２    主ベルト
１３    取付け器具
１４    ストッパー
１５    支点軸
１６    道糸
１７    特殊な擬餌針
１８    駆動レバー
１９    機器装備台
２０    ローラー
２１    軸受け部
２２    駆動用電気機器
２４    擬餌針収納容器
２５    ローラー駆動モーター
２６    駆動ローラー
２７    従ローラー
２８    駆動軸
２９    配線
３０    発停スイッチ
３１    発停スイッチ用ローラー
３２    収納容器
３３    道糸案内ローラー
３４    道糸保持具
３５    圧力器具
３６    魚体受止め器具
３７，３８、３９、支持レバー
４０    作動レバー
４１    道糸すべり要具
４２    開閉要具
４３    支点軸
４４    駆動ピン
４５    連結軸
４６    連結軸受
４７    電気式作動機器
４８    駆動軸
４９    連結ピン
５０    ストッパー
５１    擬餌針動揺防止器具
５２    道糸巻上げ脱落装置
５３    ブラシ形状搬送ベルト
５４    ブラシ
Ｃ    隙間
Ｄ    溝
Ｆ    魚体
Ｈ    止めピン嵌り中空部
【図１】
2009034105.tif 000003
【図２】
2009034105.tif 000004
【図３】
2009034105.tif 000005
【図４】
2009034105.tif 000006
【図５】
2009034105.tif 000007
【図６】
2009034105.tif 000008
【図７】
2009034105.tif 000009
【図８】
2009034105.tif 000010
【図９】
2009034105.tif 000011
【図１０】
2009034105.tif 000012
【図１１】
2009034105.tif 000013